(57)【要約】  水分反応部材が、使い捨て吸収性物品内の吸収性コアの外側に設けられる。水分反応部材は、吸収性物品の着用者からの水分に反応して膨張し、その結果、水分反応部材と吸収性物品の着用者との間に封を作る。水分反応部材は、使い捨て吸収性物品の長手方向縁部に沿って設けられてもよいし、又は使い捨て吸収性物品の前側及び後側、両方の腰縁部に沿って設けられてもよい。
2008500149.tif 000002
【特許請求の範囲】
【請求項１】
第１長手方向縁部と、第２長手方向縁部と、前側腰縁部と、後側腰縁部と、を含み、
バックシートと、前記バックシートに取り付けられたトップシートと、前記トップシート及び前記バックシートの間に設けられた吸収性コアと、を有する使い捨て吸収性物品であって、
前記吸収性コアの外側で、前記使い捨て吸収性物品の前記第１長手方向縁部、前記第２長手方向縁部、前記前側腰縁部、及び前記後側腰縁部の少なくとも１つに沿って、前記使い捨て吸収性物品に第１水分反応部材が取り付けられ、
前記第１水分反応部材が着用者の身体の一部分に接触し、前記水分反応部材が前記着用者の身体からの水分によって濡れた場合に、前記第１水分反応部材が前記着用者の身体の前記一部分に対して膨張して、前記第１水分反応部材と前記着用者の身体の前記一部分との間で封を形成することを特徴とする物品。
【請求項２】
前記第１水分反応部材が、前記第１長手方向縁部に隣接して前記使い捨て吸収性物品に接合され、
第２水分反応部材が、前記使い捨て吸収性物品の前記第２長手方向縁部に隣接して前記使い捨て吸収性物品に接合された、請求項１に記載の使い捨て吸収性物品。
【請求項３】
前記使い捨て吸収性物品が、第１脚部開口部及び第２脚部開口部を更に含むパンツ状の構造体であり、
前記第１水分反応部材が、前記第１脚部開口部に沿って前記使い捨て吸収性物品に接合され、
第２水分反応部材が、前記第２脚部開口部に沿って前記使い捨て吸収性物品に接合された、請求項１に記載の使い捨て吸収性物品。
【請求項４】
前記使い捨て吸収性物品の前記前側腰縁部に隣接して前記物品に接合された前側腰部封止部材を更に有する、請求項１〜３のいずれか一項に記載の使い捨て吸収性物品。
【請求項５】
前記使い捨て吸収性物品の前記後側腰縁部に隣接して前記物品に接合された後側腰部封止部材を更に有する、請求項１〜４のいずれか一項に記載の使い捨て吸収性物品。
【請求項６】
前記第１水分反応部材が、超吸収性材料を含む、請求項１〜５のいずれか一項に記載の使い捨て吸収性物品。
【請求項７】
前記超吸収性材料は、吸収性ゲル化材料、ゲル化弾性材料、ゲル化接着性材料、及び／又は超多孔質ヒドロゲル、及び／又はこれらの組み合わせを含む、請求項６に記載の使い捨て吸収性物品。
【請求項８】
前記超吸収性材料が穿孔されている、請求項６に記載の使い捨て吸収性物品。
【請求項９】
前記第１水分反応部材又は前記第２水分反応部材が、超吸収性材料を取り囲む液体浸透性シースを含む、請求項１〜８のいずれか一項に記載の使い捨て吸収性物品。
【請求項１０】
第１長手方向縁部と、第２長手方向縁部と、前側腰縁部と、後側腰縁部と、を含み、バックシートと、前記バックシートに取り付けられたトップシートと、前記トップシート及び前記バックシートの間に設けられた吸収性コアと、を有する使い捨て吸収性物品における、第１水分反応部材の使用法であって、
前記第１水分反応部材は、
前記吸収性コアの外側で、前記使い捨て吸収性物品の前記第１長手方向縁部、前記第２長手方向縁部、前記前側腰縁部、及び前記後側腰縁部の少なくとも１つに沿って、前記使い捨て吸収性物品に取り付けられ、
着用者の身体の一部分との接触を提供し、
超吸収性材料を含み、
前記部材と尿とが接触すると、前記着用者の身体の前記一部分と封を形成する、使用法。
【発明の詳細な説明】
【技術分野】
【０００１】
本発明は、おむつ、失禁用ブリーフ、トレーニングパンツ、生理用品（cataminial products）などの使い捨て吸収性物品に関し、より具体的には、吸収性物品の漏れの防護をより有効にして吸収性物品の着用者をより快適にする、水分反応封止機構を有する吸収性物品に関する。
【背景技術】
【０００２】
乳幼児及び他の失禁症状のある個人は、おむつなど、尿及び他の身体滲出物を受け止めて収容する吸収性物品を着用する。一般に、吸収性物品は、排出物質を収容することと、それらの物質を着用者の身体から、及び着用者の衣類及びベッドの布から隔離すること両方で機能する。しかし、幾つかの場合、特にトイレトレーニングのために使用される吸収性物品の場合、吸収性物品は、排出物質、特に尿が着用者の身体から隔離されないように設計されてもよい。排出物質が着用者の身体から隔離されるかどうかに関わらず、吸収性物品の漏れを完全になくすか又は少なくとも最小化することが重要である。
【発明の開示】
【発明が解決しようとする課題】
【０００３】
吸収性物品からの漏れを抑制するために、弾性体及び弾性様材料の分野において多くの改良が行われてきた。これらの改良にもかかわらず、吸収性物品は未だに、着用中に着用者の身体から垂下する、又は分離する傾向がある。この垂下／分離は、着用者が呼吸する、動く、及び位置を変える時の着用者の関連動作により、また吸収性物品に滲出物が充填された時に発生する下向きの力により、及びそのような着用者の動きを受けた時の吸収性物品の材料自体の変形により起こる。吸収性物品のこの垂下／分離は、着用者の周囲の吸収性物品の腰部領域において、及び同物品の脚部領域において、早期の漏れや不充分な適合をもたらす可能性がある。
【０００４】
着用者の腰の周囲に吸収性物品をよりぴったりと適合させるために、市販の吸収性物品には、弾性的ウエスト機構を備えるものがある。弾性的ウエスト機構は、典型的には、トップシートとバックシートの間に収縮可能に固定した弾性部材から成る伸縮性ウエストバンドを含む。伸縮性ウエストバンドは、着用者の動きと共に拡張及び収縮し、使用中に着用者の腰の周囲で吸収性物品の適合を維持するように設計されている。しかし、弾性的ウエスト機構を有する吸収性物品もまた、使用中に垂下する／分離する、及び滑動する／ずり落ちる傾向があることが判明した。その上、弾性的ウエスト機構は、おむつの前側でロールオーバー又はロールインする傾向があり、その結果、着用者の腰の周囲で適合不足が生じる。
【０００５】
同様に、脚部弾性体は、吸収性物品において使用されて、着用者の脚の周囲の漏れ防止を図る。しかし、脚部弾性体は、吸収性物品の漏れの量を十分に低減せず、特に漏れは、クロッチ幅の狭い吸収性コアを含む吸収性物品における問題点である。脚部弾性体は、脚部弾性体の漏れ性能を最大化するために引っ張られることができるが、脚部弾性体を引っ張ると、吸収性物品内の自然の対流を低減させてしまう傾向がある。自然の対流が減少すると、吸収性物品内の相対湿度が増加する。この相対湿度における増加は、次に、着用者の皮膚に赤い跡をつける可能性も増加させる。
【０００６】
閉じ込めフラップの追加もまた活用されて、漏れの低減を援助するが、それにもかかわらず、そのような吸収性物品には望ましくない量の漏れがある。閉じ込めフラップは、着用者の皮膚との接触を維持するために、高張力弾性体を備えることが多い。高張力弾性体の結果として、着用者の皮膚に対するより高い局部的圧力が生じ、それが着用者の皮膚に赤い跡をつける可能性を増加させる。残念なことに、赤い跡の問題は、着用者の動きにより悪化することが多いが、それは、着用者の皮膚が高張力弾性体に対して動くためである。同様に、高張力弾性体は、着用者の皮膚と高張力弾性体との間の摩擦を増大させるので、皮膚との摩擦の可能性及び激しさと、赤い跡をつける可能性及び激しさが増加される。
【０００７】
それ故に、吸収性物品には、着用者の動きを考慮した圧縮力下で漏れ特性が改善される必要性が存在する。着用者に反応し、漏れの防護が最も必要とされる時に最大の漏れ防護を提供できる吸収性物品の必要性がある。同様に、吸収性物品は、着用者への快適さを最大化しつつ、この防護を提供するべきである。
【課題を解決するための手段】
【０００８】
本発明は、第１長手方向縁部と、第２長手方向縁部と、前側腰縁部と、後側腰縁部と、を有する使い捨て吸収性物品に関する。使い捨て物品はまた、バックシートと、バックシートに取り付けられたトップシートと、トップシート及びバックシートの間に設けられた吸収性コアも含む。同様に、使い捨て吸収性物品は、同物品の吸収性コアの外側で、第１長手方向縁部若しくは第２長手方向縁部に沿って、又は前側腰縁部若しくは後側腰縁部に隣接して同物品に取り付けた水分反応部材（単数又は複数）を更に具える。水分反応部材は、着用者の身体の一部分との接触を提供して、同部材が着用者の身体からの水分で濡れた場合、同部材は、着用者の身体のその部分に対して膨張して、同部材と着用者の身体の該当部分との間に封を形成する。
【０００９】
水分反応部材は、超吸収性材料をほぼ取り囲む液体浸透性シースを含んでもよい。着用者からの水分は、液体浸透性シースに浸透して、超吸収性材料を膨張させる。超吸収性材料が膨張すると、水分反応部材と着用者の身体の一部分との間に封が形成される。
【００１０】
使い捨て吸収性物品は、腰部開口部、第１脚部開口部、第２脚部開口部、前側腰縁部、及び後側腰縁部、前側腰縁部と後側腰縁部各々に隣接する前側腰部領域、及び後側腰部領域、並びに前側腰部領域と後側腰部領域との間のクロッチ領域を有するシャーシを具えてもよい。使い捨て吸収性物品は、少なくとも部分的にバックシートに取り付けられたトップシートと、トップシートとバックシートの間でクロッチ領域に設けられた吸収性コアとを更に具えてもよい。同様に、吸収性物品は、第１脚部開口部に沿って使い捨て吸収性物品に接合した第１封止部材と、第２脚部開口部に沿って使い捨て吸収性物品に接合した第２封止部材とを含んでもよい。第１及び第２封止部材は、着用者の身体からの水分によって濡れた場合に膨張し、その結果、第１脚部開口部及び第２脚部開口部の大きさを減少させ、次に、第１封止部材と着用者の身体の間、及び第２封止部材と着用者の身体の間の封を形成する。
【発明を実施するための最良の形態】
【００１１】
定義：
本明細書で使用するとき、以下の用語は、次の意味を有する。
【００１２】
本明細書で使用するとき、用語「吸収性物品」とは、身体滲出物を吸収して収容する装置を指し、更に具体的には、着用者の身体に押し付けて又は近接して置かれて、身体から排出される種々の滲出物を吸収して収容するデバイスを指す。用語「使い捨て」は、本明細書において、洗濯、又は他の方法で吸収性物品として修復若しくは再使用することを一般に意図しない（即ち、その物品を１回の使用後に廃棄するか、好ましくはリサイクルするか、堆肥化するか、そうでなければ環境に適応した方法で処分することを意図する）吸収性物品を記述するのに用いる。「一体型」吸収性物品は、合体された個別の部品から形成され、調和した統一体を形成し、その結果、個別のホルダ及び／又はライナーのような独立した操作部分を必要としない吸収性物品を指す。本発明の吸収性物品の好ましい実施形態は、一体型使い捨て吸収性物品、おむつ１０であり、図１に示されている。本明細書で使用するとき、用語「おむつ」とは、一般に幼児及び失禁者により胴体下部の周囲で着用される吸収性物品を指す。本発明は、失禁用ブリーフ、失禁用下着、吸収性挿入物、おむつホルダ及びライナー、女性用衛生衣類、拭き取り用品、モップ、包帯など、他の吸収性物品にも適用可能である。
【００１３】
「長手方向」は、物品の最大の直線寸法に平行に走る方向であり、長手方向±４５°内の方向を含む。
【００１４】
「横」又は「横断」方向は、長手方向に直交する。
【００１５】
本明細書で使用するとき、用語「設けられる」は、ある要素（単数又は複数）が特定の場所又は位置で他の要素と共に単一構造体として、又は別の要素に接合された別個の要素として形成（接合及び位置）されることを意味するために使用される。
【００１６】
本明細書で使用するとき、用語「接合される」は、ある要素を他の要素に直接取り付けることによりある要素が他の要素に直接固定される構成と、ある要素を中間部材（単数又は複数）に取り付け、その中間部材が他の要素に取り付けられることによりある要素が他の要素に間接的に固定される構成とを含む。
【００１７】
用語「浸透性の」及び「不浸透性の」は、使い捨て吸収性物品の意図された使用法に関連した材料の浸透性を指す。特に、用語「浸透性の」は、強制圧力が無い場合に液体水がその厚みを通過するのを可能にする孔若しくは開口部を有する層又は層状構造体を指す。それとは逆に、用語「不浸透性の」は、強制圧力が無い場合に液体水がその厚みを通過できない層又は層状構造体を指す。当該技術分野において周知であるように、一般に吸収性物品において使用される材料の浸透度を測定するための一般的な方法は、水圧試験であり、又、静水頭試験（hydrostatic head test）又は単に「水頭（hydrohead）」試験ともいう。水頭試験に好適な周知の簡潔な方法は、ＩＮＤＡ（元国際不織布・使い捨て用品協会（International Nonwovens and Disposables Association）、現在の不織布工業協会（Association of the Nonwoven Fabrics Industry））及びＥＤＡＮＡ（欧州使い捨て用品・不織布協会（European Disposables And Nonwovens Association））によって承認されている。
【００１８】
用語「遅らせる」及び「流量調節層」は、様々な層又は層状構造体が浸透性であるものの、流量が異なってもよいことを指し、液体水はその各々の厚みを通過できる。例えば、毛管チャネルを含み、いかなる強制圧力が無くても液体水がその厚みを通ってウィッキングする層は、浸透性であるとみなされる。しかし、液体水がそのような層の厚みを通過できる流量は、液体水が、毛管チャネルとしての役目を果たすにはあまりにも大きすぎる穴を含む層の厚みを通過できる流量より少なくてもよい。同様に、どちらも毛管チャネルを含み、いかなる強制圧力が無くても液体水がその厚みを通ってウィッキングする２つの層はどちらも、浸透性であるとみなされる。しかし、複数層のうち１層における毛管チャネルは、他の層におけるそれらとは寸法が異なってもよく、又は他の層におけるそれらより数が多くてもよく、結果として、１層を通る液体水のウィッキング流量は、他の層を通るそれより多くてもよい。故に、層状構造体では、流量調節層として役立つ１層は、層状構造体の中の複数層の別の層で流量調節層が無くても液体水がその厚みを通過できる流量に関して、層状構造体の厚みを液体水が通過するのを遅らせてもよく、同様に水性の性質である身体排泄物が通過するのを遅らせてもよい。
【００１９】
本明細書で使用するとき、用語「濡れる」は、請求される発明の要素に水分を供給する作用を指すために使用される。この場合、着用者からの水分は、水分反応部材を濡らす、すなわち水分を供給した結果、水分反応部材が膨張する。
【００２０】
本明細書で使用するとき、用語「水分」は、尿、汗、血液、糞便物質、又は液体若しくは蒸気のどちらかを含む任意の他の身体滲出物の、液体若しくは蒸気、又はそれらの組み合わせのいずれかを指すために使用される。
【００２１】
本発明は、様々な方法で使い捨て吸収性物品に組み込まれてもよい。以下の図面は、単にそのような組み込んだ例であり、本発明を使い捨て吸収性物品で実施する唯一の方法を説明することを意味するものではない。例えば、図１は、前側腰縁部１６、後側腰縁部１７、及び長手方向縁部２４を有する使い捨ておむつ１０を示している。使い捨ておむつ１０は、第１及び第２封止部材１２及び１４の形体の水分反応部材を組み込み、これらの封止部材は、長手方向縁部２４に沿って使い捨ておむつ１０に各々取り付けられてもよい。あるいは、使い捨ておむつ１０は、前側腰縁部１６付近に設けられた前側腰部封止部材３０の形体の水分反応部材、又は後側腰縁部１７近くに設けられた後側腰部封止部材３２の形体の水分反応部材を組み込んでもよい。前側腰部封止部材３０及び後側腰部封止部材３２はどちらも、第１及び第２封止部材１２及び１４、各々共に使用されることができるか、又は１つずつと使用されることができる。同様に、前側腰部封止部材３０は、後側腰部封止部材３２と共に使用されてもよいし、それらの部材が個々に吸収性物品に組み込まれてもよい。
【００２２】
本発明の作用の例として、水分反応部材は、着用者からの水分を吸収して膨張する。例えば、液体尿の場合、その尿は、吸収性物品のトップシートを通ってウィッキングし、水分反応部材を濡らす。着用者からの水分を吸収すると、水分反応部材は、膨張によって反応する。水分反応部材が、第１、第２封止部材１２及び１４である場合、着用者の脚に対してその周囲で膨張する。逆に、水分反応部材が、前側腰部封止部材３０又は後側腰部封止部材３２である場合は、着用者の前側腰部領域及び後側腰部領域各々に対して膨張する。
【００２３】
水分反応部材は、膨張する時、同部材の表面積が増大し、その結果、着用者の皮膚に対して働く局部的な圧力が低減する。次にこれが、着用者の皮膚に赤い跡を付ける可能性も低減させる。また、水分反応部材が膨張するので、吸収性物品からの漏れも最小化される。
【００２４】
加えて、水分反応部材は水蒸気を吸収できるので、同部材は、吸収性物品内の相対湿度を減少させ、その結果、より快適な着用体験を着用者に提供できる。但し、本明細書で説明される全ての実施形態は、上記の説明と同様の方法で作用すること、すなわち、着用者からの水分が水分反応部材を濡らして同部材が着用者に対して膨張し、同部材と着用者との間の封を作ることに留意すべきである。
【００２５】
図２に関して、使い捨て吸収性物品１０は、接合されたトップシート２２を有するバックシート１８と、トップシート２２とバックシート１８の間に設けられた吸収性コア２０とを有する。第１及び第２封止部材１２及び１４はそれぞれ、吸収性コア２０の外側で、長手方向縁部２４（図１参照）に沿って設けられる。図２には示されないが、前側腰部封止部材３０及び後側腰部封止部材３２（図１参照）は、液体浸透性シース２８の内側に位置する超吸収性材料２６を含む。
【００２６】
液体浸透性シース２８は、トップシート２２及びバックシート１８の縁部に沿って接合されることができる。超吸収性材料２６が、液体浸透性シース２８で実質的に取り囲まれるように液体浸透性シース２８は、使い捨て吸収性物品１０に接合されるべきである。しかし、液体浸透性シース２８は、着用者の水分が超吸収性材料２６を濡らすのを妨げることなく、超吸収性材料２６を実質的に取り囲むべきである。あるいは、液体不浸透性シースは、トップシート１２２（図２Ａ参照）又はバックシート２１８（図２Ｂ参照）を含んでもよい。但し、本明細書で説明される任意の実施形態では、使い捨て吸収性物品に液体浸透性シース２８を取り付けることによって、着用者の水分が超吸収性材料２６を濡らすのを妨げないように留意するべきである。
【００２７】
図２Ｃは、液体浸透性シース３２８で取り囲まれた液体不浸透性層３４４を示している。図２Ｃには示されないが、液体不浸透性層３４４は、液体浸透性シース３２８なしで実施することができる。液体不浸透性層３４４の目的は、液体浸透性シース３２８の外側への濡れた超吸収性材料３２６からの漏れを妨ぐ若しくは最小化するか、又は濡れた超吸収性材料３２６が着用者に付くことを妨ぐことである。液体不浸透性層３４４は、液体浸透性シース３２８の内側に位置することができるか（図２Ｃに示されるように）、又は液体浸透性シース３２８の外側に位置することができる。しかし、着用者の水分が超吸収性材料３２６を濡らすのを、液体不浸透性層３４４が妨げないように、液体不浸透性層３４４は位置するべきである。それ故に、液体不浸透性層３４４は、溝又は開口部、さもなければ液体不浸透性層に水分を浸透させるための、当該技術分野において既知の任意手段を備えることができる。
【００２８】
液体不浸透性層は、エラストマー材を含んでもよく、エラストマー材は、テキサス州ヒューストン（Houston, TX）のクラトンポリマー社（Kraton Polymers Inc.）により製造され、クラトン（Kraton）Ｄ及びクラトン（Kraton）Ｇの商標名で販売される材料を含んでもよい。当該技術分野において既知の、あらゆる好適な液体不浸透性材料を本発明の目的のために使用してもよい。しかし、バックシート３１８が液体浸透性シース３２８として使用される場合に、液体不浸透性層３４４（図２Ｃ参照）の必要性は、バックシートが液体不浸透性フィルムを含むのであれば取り除かれてもよい。
【００２９】
本発明はまた、図３に示されるようなトレーニングパンツ状の構造体に組み込まれてもよい。本発明のこの実施形態では、第１封止部材４１２及び第２封止部材４１４は、着用者の脚に接触するように使い捨て吸収性物品４１０に位置する。
【００３０】
別の実施形態では、使い捨て吸収性物品４１０（図４参照）は、前側腰縁部４１６に沿って設けられた前側腰部封止部材４３０を更に含んでもよい。使い捨て吸収性物品４１０はまた、前側腰部封止部材４３０と共に又はそれだけで、後側腰縁部４１７に沿って設けられた後側腰部封止部材４３２を含んでもよい。同様に、使い捨て吸収性物品４１０は、第１封止部材４１２と第２封止部材４１４の内側に設けられたバリアレッグカフ４４２を更に含んでもよい。
【００３１】
本明細書において説明される任意の実施形態は、好ましくは、レッグカフを更に含み、液体及び他の身体滲出物の閉じ込めを改善する。レッグカフはまた、レッグバンド、サイドフラップ、バリアカフ、又は弾性カフと称されてもよい。米国特許第３，８６０，００３号には、サイドフラップ及び１つ以上の弾性部材を有し、伸縮性レッグカフ（ガスケットカフ）を提供する収縮可能な脚部開口部を提供する使い捨ておむつが記載されている。米国特許第４，８０８，１７８号及び第４，９０９，８０３号（アジズ（Aziz）ら、各々１９８９年２月２８日及び１９９０年３月２０日発行）は、脚部領域の収容性を改良する「スタンドアップ（stand-up）」伸縮性フラップ（バリアカフ）を有する使い捨ておむつを記載している。米国特許第４，６９５，２７８号（ローソン（Lawson）、１９８７年９月２２日発行）及び米国特許第４，７９５，４５４号（ドラグー（Dragoo）１９８９年１月３日発行）は、各々、ガスケッティングカフ及びバリアカフを含む二重カフを有する使い捨ておむつを記載している。幾つかの実施形態では、レッグカフの全体又は一部分を、上述のようにローションで処理することが望ましい。
【００３２】
本発明は、本明細書で説明される任意の手法を用いて、生理用品などの吸収性物品に組み込まれてもよい。図５に示されるように、生理用品５１０は、第１及び第２封止部材５１２及び５１４、各々により、本発明を組み込むことができる。この場合、着用者の水分は、トップシート５２２を通ってウィッキングし、液体浸透性シース５２８で実質的に取り囲まれた超吸収性材料５２６を濡らす。
【００３３】
着用者に吸収性物品が着用されると、即座にぴったりと適合するように、空気で膨らむ部材を予め膨らませておくことが可能である。同様に消費者が、注入手段によって空気を足せるように、又は空気放出手段によって空気を放出できるように、空気で膨らむ部材は調節可能であってもよい。例えば、消費者が、空気で膨らむ部材に空気を足して同部材が膨張し、漏れに対して更に良好な防護を提供する一方で、空気で膨らむ部材によって、着用者に働く局部的圧力も最小化することができる。空気で膨らむ部材に空気を足す目的のために、当該技術分野において既知のいかなる注入手段が使用されることができる。空気で膨らむ部材から空気を放出する目的のために、当該技術分野において既知の任意の空気放出手段が使用されてもよい。
【００３４】
別の方法として、又は空気で膨らむ部材と共に、最初に着用者への使い捨て吸収性物品の適合を維持するために、吸収性物品は、エラストマー材の使用を更に組み込んでもよい。従って、着用者への吸収性物品の最初の適合を維持するために、脚部領域の水分反応部材、すなわち、第１封止部材若しくは第２封止部材、又は前側腰部封止部材若しくは後側腰部封止部材のいずれかの水分反応部材は、エラストマー材を組み込んでもよい。同様に、水分反応部材は、着用者によって水分反応部材が濡れる前に、ぴったり適合するような大きさにされてもよいし、予め膨張されてもよい。しかし、先に説明されたように、エラストマーの液体不浸透性材料が液体不浸透性層として使用される場合、水分反応部材に組み込まれるべき追加のエラストマー材の必要性は除外されてもよい。それでもエラストマー材が必要である場合、当該技術分野において既知である任意の好適なエラストマー材を使用して、使い捨て吸収性物品の弾性レッグカフ又は弾性ウエストバンドを作製してもよい。
【００３５】
エラストマー材によって、着用者への最初の適合が吸収性物品に提供されると共に、ギャザーが更に液体浸透性層に提供されてもよく、その結果、超吸収性材料が膨張する時、液体浸透性層は、超吸収性材料の膨張に適応することができる。別の方法として、又はエラストマー材と共に、液体浸透性層は膨張して、超吸収性材料の膨張に適応することができる。
【００３６】
一般に、水分反応部材内の超吸収性材料は、液体浸透性シース内で均等に設けられるべきである。しかし、超吸収性材料は、水分反応部材の浸透性を増大するために穿孔されてもよく、それによって、水分に対する水分反応部材の感度が高まる。さらに、計画的に超吸収性材料を液体浸透性シース内に置き、当初超吸収性材料が全く供給されていなかった液体浸透性シースの領域内まで膨張させてもよい。
【００３７】
本明細書で称される液体浸透性シースは、不織布材料であってもよく、及び以下：木材パルプ繊維、綿、レーヨン（ビスコースとしても既知である）、及びこれらの組み合わせなどの天然繊維；ポリオレフィン、ポリエステル、及びこれらの組み合わせなどの合成繊維；並びにそれらの組み合わせを含んでもよい。液体浸透性シースは、例えば水流交絡、カード、メルトブローン、エアレイドなど及びそれらの組み合わせなどの、限定はされないが任意の従来の方法で形成されてもよい。
【００３８】
液体浸透性シースは、延伸性でも非延伸性でもよいし、織布材料を含んでも、又は不織布材料を含んでもよい。当該技術分野において既知の任意の適した浸透性材料を、液体浸透性シースとして使用してもよい。例として、液体浸透性シースは、カード不織布材料であってよい。この場合、液体浸透性シースは、ポリエチレン（ＰＥ）及びポリプロピレン（ＰＰ）の２成分繊維から作製されることができ、ＰＥ対ＰＰの比は、約５０対５０である。約５０対５０のＰＥ対ＰＰの比を有する適したカード不織布ウェブは、日本、守山市のチッソポリプロ繊維株式会社（Chisso Corp.）から入手可能である。
【００３９】
あるいは、液体浸透性シースは、スパンボンドした不織布材料であってもよく、その例は、東京の三井化学株式会社（Mitsui Petrochemical Industries, Ltd.）（旧三井石油化学株式会社）から入手可能である。液体浸透性シースは、ポリエチレン（ＰＥ）及びポリプロピレン（ＰＰ）の２成分繊維から作製されてもよい。ＰＥ対ＰＰの比は約８０対２０である。
【００４０】
本明細書で称されるトップシートは、好ましくは、吸収性コアの身体面に隣接して位置し、当該技術分野において既知の任意の取り付け手段によって、そこに、及び／又はバックシートに接合されてもよい。好適な取り付け手段は、バックシートをおむつの他の要素に接合するための手段に関して上記で説明されている。本発明の１つの好ましい実施形態では、トップシートとバックシートは幾つかの場所で互いに直接接合され、他の場所では、それらをおむつの１つ以上の他の要素に直接接合することによって、合わせて間接的に接合される。
【００４１】
トップシートは、好ましくは柔軟であり、柔らかい感触であって、着用者の皮膚に刺激を与えない。更に、トップシートの少なくとも一部分は液体浸透性であって、液体はその厚みを容易に浸透することができる。適したトップシートは、例えば、多孔質発泡体、網状発泡体、孔あきプラスチックフィルム、あるいは天然繊維（例えば木材繊維若しくは綿繊維）、合成繊維（例えばポリエステル繊維若しくはポリプロピレン繊維）、又は天然繊維と合成繊維との組み合わせによる織布又は不織布材料などの、広範囲の材料から製造することができる。トップシートが繊維を含む場合、繊維は、スパンボンド、カード、湿式載置、メルトブローン、水流交絡、ないしは当該技術分野において既知である別の方法で加工されてもよい。短繊維長のポリプロピレン繊維のウェブを含む適した１つのトップシートは、マサチューセッツ州ウォルポール（Walpole,MA）のインターナショナルペーパー社（International Paper Company）の１部門であるベラテック社（Veratec, Inc.）により、名称Ｐ−８で製造される。
【００４２】
好適な形成フィルムトップシートは、米国特許第３，９２９，１３５号、名称「先細になった毛管を有する吸収構造体（Absorptive Structures Having Tapered Capillaries）」（トンプソン（Thompson)、１９７５年１２月３０日発行）；米国特許第４，３２４，２４６号、名称「防汚性トップシートを有する使い捨て吸収性物品（Disposable Absorbent Article Having A Stain Resistant Topsheet）」（マレーン（Mullane）ら、１９８２年４月１３日発行）；米国特許第４，３４２，３１４号、名称「繊維様特性を表す弾力的プラスチックウェブ」（Resilient Plastic Web Exhibiting Fiber-Like Properties）（レーデル（Radel）ら、１９８２年８月３日発行）；米国特許第４，４６３，０４５号、名称「光沢がないように見える表面及び布様触感を表す巨視的に伸張された三次元プラスチックウェブ（Macroscopically Expanded Three-Dimensional Plastic Web Exhibiting Non-Glossy Visible Surface and Cloth-Like Tactile Impression）」（アール（Ahr）ら、１９８４年７月３１日発行）；及び米国特許第５，００６，３９４号、名称「多層ポリマー被膜（Multilayer Polymeric Film）」（ベイド（Baird）、１９９１年４月９日発行）に記載されている。他の適したトップシートは、米国特許第４，６０９，５１８号及び同第４，６２９，６４３号（キュロ（Curro）ら、各々、１９８６年９月２日及び同年１２月１６日発行）により作製されてもよく、そのどちらも本明細書に参考として組み込まれる。このような形成フィルムは、オハイオ州シンシナティー（Cincinnati, Ohio）のプロクター＆ギャンブル社（Procter & Gamble Company）から「ドリウィーブ（DRI-WEAVE）」として、及びバージニア州リッチモンド（Richmond, VA）に拠点を置くトレドガー社（Tredegar Corporation）から「クリフ（CLIFF）−
Ｔ」として入手可能である。
【００４３】
好ましくは、トップシートの少なくとも一部分は、疎水性材料から作製されるか、又は着用者の皮膚を吸収性コアに含まれる液体から隔離するために疎水性になるように処理される。トップシートが疎水性材料から作製される場合、好ましくはトップシートの上面の少なくとも一部分は、親水性になるように処理されて、液体はもっと迅速にトップシートを通過する。トップシートは、それを界面活性剤で処理することにより親水性にすることができる、又は界面活性剤をトップシートに組み込むことにより親水性にすることができる。トップシートを界面活性剤で処理するのに適した方法には、トップシート材料に界面活性剤をスプレーすること、及び／又はその材料を界面活性剤に浸漬することが挙げられる。このような処理及び親水化のより詳細な説明は、米国特許第４，９８８，３４４号、名称「多層吸収性層を有する吸収性物品（Absorbent Articles with Multiple Layer Absorbent Layers）」（レイシング（Reising）ら，１９９１年１月２９日発行）、及び米国特許第４，９８８，３４５号、名称「急速獲得吸収性コアを有する吸収性物品（Absorbent Articles with Rapid Acquiring Absorbent Cores）」（レイシング（Reising），１９９１年１月２９日発行）に盛り込まれている。界面活性剤をトップシートに組み込むのに適した幾つかの方法の更に詳細な説明は、米国法定発明登録番号（U.S. Statutory Invention Registration No.）Ｈ１６７０（アジズ（Aziz）ら、１９９７年７月１日発行）に見出すことができる。これらの参考文献の各々を参考として本明細書に組み込む。あるいは、トップシートは、疎水性である孔あきウェブ又はフィルムを含んでもよい。これは、親水化する処理工程を製造工程から除くこと、及び／又はスコッチガード（SCOTCHGUARD）のようなポリテトラフルオロエチレン化合物若しくは下記に説明されるような疎水性ローション化合物など、トップシートに疎水性の処理を加えることで達成されてもよい。このような実施形態では、開口は、尿のような水性流体が有意な抵抗なしに浸透できるために十分大きいことが好ましい。
【００４４】
当該技術分野において既知であるように、トップシートのどの部分がローションでコーティングされてもよい。適したローションの例には、米国特許第５，６０７，７６０号、名称「皮膚軟化剤及びポリオールポリエステル固定剤を含むローション入りトップシートを有する使い捨て吸収性物品（Disposable Absorbent Article Having A Lotioned Topsheet Containing an Emollient and a Polyol Polyester Immobilizing Agent）」（ロー（Roe）、１９９７年３月４日発行）；米国特許第５，６０９，５８７号、名称「液体ポリオールポリエステル皮膚軟化剤及び固定剤を含むローショントップシートを有するおむつ（Diaper Having A Lotion Topsheet Comprising A Liquid Polyol Polyester Emollient And An Immobilizing Agent）」（ロー（Roe）、１９９７年３月１１日発行）；米国特許第５，６３５，１９１号、名称「ポリシロキサン皮膚軟化剤を含むローション入りトップシートを有するおむつ（Diaper Having A Lotioned Topsheet Containing A Polysiloxane Emollient）」（ロー（Roe）ら、１９９７年６月３日発行）；米国特許第５，６４３，５８８号、名称「ローション入りトップシートを有するおむつ（Diaper Having A Lotioned Topsheet）」（ロー（Roe）ら、１９９７年７月１日発行）；及び米国特許第５，９６８，０２５号、名称「ローション入りトップシートを有する吸収性物品（Absorbent Article Having a Lotioned Topsheet）」（ロー（Roe）ら、１９９９年１０月１９日発行）に記載されるものが挙げられる。ローションは、上述の疎水化処理として、単独で機能してもよく、又は他の剤と組み合わせて機能してもよい。トップシートはまた、抗菌剤を含むか又は抗菌剤で処理されてもよく、その幾つかの例が、ＰＣＴ国際公開特許ＷＯ９５／２４１７３、名称「トップシートに匂い抑制用抗菌剤を含む吸収性物品（Absorbent Arti
cles Containing Antibacterial Agents in the Topsheet For Odor Control）」（テレサ・ジョンソン（Theresa Johnson）、１９９５年９月１４日発行）に開示されている。更に、トップシート、バックシート、又はトップシート若しくはバックシートの任意部分が、エンボス加工及び／又はマット仕上げされて、より布様の外観を提供してもよい。
【００４５】
トップシートは、１つ以上の開口を含んで、尿及び／又は糞便（固体、半固体、又は液体）など、滲出物がそこを貫通するのを容易にしてもよい。少なくとも主要開口の大きさは、所望の排泄物封入性能を達成するのに重要である。主要開口が小さ過ぎる場合、排泄物は、排泄物供給源と開口位置の不充分な整合のために、又は開口より大きい直径を有する糞便の塊のために、その開口を通過しないことがある。開口が大き過ぎると、物品からの「再湿潤」により汚染される可能性のある皮膚領域が広がる。一般に開口は、約１０ｃｍ２〜約５０ｃｍ２の面積を有するべきである。開口８０は、好ましくは、約１５ｃｍ２〜３５ｃｍ２の面積を有する。
【００４６】
更に、トップシートは、十分に若しくは部分的に伸縮性であってもよいし、短縮されて、トップシートとコアの間に空間を提供してもよい。弾性化された又は短縮したトップシートを含む代表的な構造体は、米国特許第４，８９２，５３６号、名称「弾性ストランドを有する吸収性物品（Absorbent Article Having Elastic Strands）」（デマレース（Des Marais）ら、１９９０年１月９日発行）；米国特許第４，９９０，１４７号、名称「排出物隔離のための弾性ライナーを有する吸収性物品（Absorbent Article With Elastic Liner For Waste Material Isolation）」（フリーランド（Freeland）、１９９１年２月５日発行）；米国特許第５，０３７，４１６号、名称「弾性的延伸性のトップシートを有する使い捨て吸収性物品（Disposable Absorbent Article Having Elastically Extensible Topsheet）」（アレン（Allen）ら、１９９１年８月６日発行）；及び米国特許第５，２６９，７７５号、名称「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」（フリーランド（Freeland）ら、１９９３年１２月１４日発行）に更に詳細に説明され、これらの各々を参考として本明細書に組み込む。
【００４７】
本明細書で称される吸収性コアは、ほぼ圧縮性で、従順で、着用者の皮膚に刺激がなく、尿及び他の一定の身体滲出物など、液体を吸収して保持できる任意の吸収性材料を含んでもよい。吸収性コアは、多種多様の大きさ及び形（例えば、矩形、砂時計形、「Ｔ」字形、非対称など）で製造されてもよく、エアフェルトと一般に称される粉砕木材パルプなど、使い捨ておむつ及び他の吸収性物品で一般に使用される多種多様の液体吸収性材料を含んでもよい。その他の適した吸収性材料の例としては、捲縮セルロース塊、コフォームを含むメルトブローポリマー、化学的に剛化、変性、又は架橋されたセルロース繊維、ティッシュラップ及びティッシュラミネートを含むティッシュ、吸収性フォーム、吸収性スポンジ、超吸収性ポリマー、吸収性ゲル化材料、又は他のあらゆる既知の吸収性材料若しくはこれらの材料の組み合わせが挙げられる。
【００４８】
吸収性コアの外形及び構成もまた、様々であってよい（例えば、吸収性コア又は他の吸収性構造体は、様々なキャリパーゾーン、親水性勾配、超吸収性勾配、若しくは低平均密度及び低平均坪量獲得ゾーンを有してもよいか、又は１以上の層若しくは構造体を含んでもよい）。吸収性コアとして使用するための代表的な吸収性構造体は、米国特許第４，６１０，６７８号、名称「高密度吸収性構造体（High-Density Absorbent Structures）」（ワイスマン（Weisman）ら、１９８６年９月９日発行）；米国特許第４，６７３，４０２号、名称「２層のコアを有する吸収性物品（Absorbent Articles With Dual-Layered Cores）」（ワイスマン（Weisman）ら、１９８７年６月１６日発行）；米国特許第４，８３４，７３５号、名称「低密度及び低坪量獲得ゾーンを有する高密度吸収性部材（High Density Absorbent Members Having Lower Density and Lower Basis Weight Acquisition Zones）」（アレマニ−（Alemany）ら、１９８９年５月３０日発行）；米国特許第４，８８８，２３１号、名称「ダスティング層を有する吸収性コア（Absorbent Core Having A Dusting Layer）」（アングスタット（Angstadt）、１９８９年１２月１９日発行）；米国特許第５，１３７，５３７号、名称「個別化したポリカルボン酸架橋木材パルプセルロース繊維を含む吸収性構造体（Absorbent Structure Containing Individualized, Polycarboxylic Acid Crosslinked Wood Pulp Cellulose Fibers）」（ヘロン（Herron）ら、１９９２年８月１１日発行）；米国特許第５，１４７，３４５号、名称「失禁管理のための高有効性吸収性物品（High Efficiency Absorbent Articles For Incontinence Management）」（ヤング（Young）ら、１９９２年９月１５日発行）；米国特許第５，３４２，３３８号、名称「低粘度糞便物質のための使い捨て吸収性物品（Disposab
le Absorbent Article For Low-Viscosity Fecal Material）」（ロー（Roe）、１９９４年８月３０日発行）；米国特許第５，２６０，３４５号、名称「水性体液のための吸収性フォーム材料とそのような材料を含む吸収性物品（Absorbent Foam Materials For Aqueous Body Fluids and Absorbent Articles Containing Such Materials）」（デマレース（DesMarais）ら、１９９３年１１月９日発行）；米国特許第５，３８７，２０７号、名称「水性体液のための濡れるまでは薄い吸収性フォーム材料とその作製方法（Thin-Until-Wet Absorbent Foam Materials For Aqueous Body Fluids And Process For Making Same）」（ダイヤー（Dyer）ら、１９９５年２月７日発行）；及び米国特許第５，６２５，２２２号、名称「非常に高い水対油の比を有する高内相エマルションから作製した水性流体のための吸収性フォーム材料（Absorbent Foam Materials For Aqueous Fluids Made From High Internal Phase Emulsions Having Very High Water-To-Oil Ratios）」（デマレース（DesMarais）ら、１９９７年７月２２日発行）に記載されている。これら特許の各々を参考として本明細書に組み込む。
【００４９】
一般に吸収性コアは、水分、特に尿を迅速に吸収して保持し、その水分を着用者の身体から隔離する必要がある。しかし、特にトレーニングパンツでは、吸収性コアは、尿又は水分をより緩やかに吸収する必要がある。そうすることで、吸収性コアは、尿又は水分を着用者の身体に接触させる。これによって、ユーザに吸収性物品内の濡れた感覚が提供され、それが、トイレトレーニングの改善結果をもたらす。これらのタイプの吸収性コアは、トレーニングコアと称され、一般に低い又は緩やかな液体獲得特性を有する。当該技術分野において既知の任意の適したトレーニングコアが、本発明と共に使用されることができる。
【００５０】
本発明で称されるバックシートは、概ね、吸収性コアの衣類面表面に隣接して位置するおむつの部分であり、その中に吸収されて閉じ込められた滲出物が、ベッドシーツや下着など、おむつに接触することがある物品を汚すのを防ぐ。好ましい実施形態では、バックシートは、液体（例えば尿）に対して不浸透性であり、約０．０１２ｍｍ（０．５ミル）〜約０．０５１ｍｍ（２．０ミル）の厚さを有する熱可塑性フィルムなど、薄いプラスチックフィルムを含む。適したバックシートフィルムとしては、バージニア州リッチモンド（Richmond, VA）に拠点を置くトレドガー社（Tredegar Corporation）により製造され、商標名ＣＰＣ２フィルムとして販売されるものが挙げられる。他の適したバックシート材料には、滲出物がバックシートを通過するのを防ぎながら、おむつから蒸気を逃がす通気性材料が挙げられる。代表的な通気性材料には、織布ウェブ、不織布ウェブなどの材料、フィルムコーティングした不織布ウェブなどの複合材料、日本の三井化学株式会社（Mitsui Toatsu Co.）（旧三井東圧株式会社）により、エスポアール（ESPOIR）ＮＯの表記で製造されるような、及びバージニア州リッチモンド（Richmond, VA）のトレデガー社（Tredegar Corporation）により製造され、エグザイル（EXAIRE）の表記で販売されるようなミクロ孔質フィルム、及びオハイオ州シンシナティー（Cincinnati, OH）のクロペイ社（Clopay Corporation）により、ハイトレール（HYTREL）ブレンドＰ１８−３０９７の名称で製造されるようなモノリシックフィルムが挙げられる。幾つかの通気性複合材料が、ＰＣＴ特許出願ＷＯ９５／１６７４６（Ｅ．Ｉ．デュポン（E. I. DuPont）、１９９５年６月２２日発行）；米国特許第５，９３８，６４８号（ラボン（LaVon）ら、１９９９年８月１７日発行）；米国特許第５，８６５，８２３号（キュロ（Curro）、１９９９年２月２日発行）；及び米国特許第５，５７１，０９６号（ドブリン（Dobrin）ら、１９９６年１１月５日発行）に更に詳細に記載されている。これらの参考文献の各々を参考として本明細書に組み込む。
【００５１】
バックシート又はそのいかなる部分も、１つ以上の方向において弾性的延伸性であってもよい。１つの実施形態において、バックシートは、構造的に弾性様のフィルム（「ＳＥＬＦ」）ウェブを含んでもよい。構造弾性様フイルムウェブは、追加の弾性材料を使用せずに伸長方向に弾性様挙動を示す延伸性材料であり、更に詳細には、米国特許第５，５１８，８０１号、名称「弾性様挙動を示すウェブ材料（Web Materials Exhibiting Elastic-Like Behavior）」（チャッペル（Chappell）ら１９９６年５月２１日発行）に説明されており、この特許を参考として本明細書に組み込む。別の実施形態では、バックシートは、エラストマーフィルム、フォーム、ストランド、若しくはこれらの組み合わせ、又は不織布若しくは合成フィルムを有する他の好適な材料を含んでもよい。
【００５２】
バックシートは、当該技術分野において既知の任意の取り付け手段により、トップシート、吸収性コア、又はおむつの他の任意要素に接合されてもよい。（本明細書で使用するとき、用語「接合される」は、ある要素を他の要素に直接取り付けることによりある要素が他の要素に直接固定される構成と、ある要素を中間部材（単数又は複数）に取り付け、その中間部材が他の要素に取り付けられることによりある要素が他の要素に間接的に固定される構成とを包含する。）例えば、取り付け手段としては、均質な連続層の接着剤、模様付き層の接着剤、又は分離した線・渦巻き・若しくは点の配列の接着剤が挙げられる。１つの好ましい取付け手段は、接着剤の長繊維の開放模様網状組織を含み、米国特許第４，５７３，９８６号、名称「使い捨て排泄物収容衣料（Disposable Waste-Containment Garment）」（ミネトラ（Minetola）ら、１９８６年３月４日発行）に開示されている。他の適した取り付け手段には、螺旋模様に渦を巻いた数本の接着性長繊維が挙げられ、米国特許第３，９１１，１７３号（スプラーグ・ジュニア（Sprague, Jr）、１９７５年１０月７日発行）；米国特許第４，７８５，９９６号（ジーカー（Ziecker）ら、１９７８年１１月２２日発行）；及び米国特許第４，８４２，６６６号（ウェレニクツ（Werenicz）、１９８９年６月２７日発行）に示される装置及び方法に説明されている。これら特許の各々を参考として本明細書に組み込む。満足のいくものであることが判明した接着剤は、ミネソタ州セントポール（St. Paul, MN）のＨ．Ｂ．フラー社（H.B.Fuller Company）によって製造され、ＨＬ−１６２０及びＨＬ−１３５８−ＸＺＰとして市販されている。あるいは、取り付け手段は、熱接着、圧力接着、超音波接着、動的機械的結合、又は当該技術分野で既知の任意の他の好適な取り付け手段若しくはこれら取り付け手段の組み合わせを含んでもよい。
【００５３】
本明細書で説明される超吸収性材料は、吸収性ゲル材料、プロクター・アンド・ギャンブル社（The Procter and Gamble Corp.）により製造されるゲル化弾性材料、ミネソタ州セントポール（St. Paul, MN）のＨ．Ｂ．フラー社（HB Fuller）によりハイドロロック（HydroLock）の表記で製造されるゲル化接着性材料、若しくはインディアナ州ラファエッテ（Lafayette, IN）のアキナウエスト社（Akina West）によりアクアゲル（Aquagel）の表記で製造される超多孔質ヒドロゲル、流体安定凝集体、又はこれらの任意の組み合わせを含んでもよい。
【００５４】
吸収性ゲル材料、本明細書では以後「ＡＧＭ」、は、非水溶性であるが、大量の流体を吸収できる水膨潤性の様々なポリマーを含む。こうしたポリマー材料は一般に当該技術分野において既知であり、使い捨て吸収性物品の技術との関連において用いられるか又は有用であると見なされるすべてのそれらの周知のポリマーを含む。とりわけＥＰ−Ａ−７５２８９２に開示されるＡＧＭ、又は１９９８年にニューヨークのワイリー社（Wiley VCH）により出版される、ブホルツ（F.L. Buchholz）及びグラハム（A.T. Graham）による「現代の超吸収体技術（Modern Super Absorbent Technology）」という名称のテキストブックに開示されるものは、本発明との関連において有用である。
【００５５】
ＡＧＭの粒子は、多数の形から成ってもよい。用語「粒子」とは、粒剤、繊維、フレーク、球体、粉体、小板、並びに当業者に既知のＡＧＭの他の形状及び形体を指す。粒子は、粒剤、ビーズの形体であって、約１０μｍ〜約１０００μｍの、又はさらに約１００μｍ〜約１０００μｍ、又はさらに約１５０μｍ〜約８５０μｍ、及び又はさらに約１５０μｍ〜約５００μｍである粒経を有することができる。別の実施形態では、ＡＧＭは、繊維の形、すなわち、細長い針状のＡＧＭ粒子であることができる。別の実施形態では、ＡＧＭは、予め濡らし、既にゲルのような状態であってもよい。繊維もまた、シートに織り込まれることができる長繊維の形体であることができる。ＡＧＭは、シートの形体で、液体不浸透性層４４に取り付けられてもよい。ＡＧＭは、当該技術分野において周知である任意の適した取り付け方法若しくは印刷方法を使用して、液体不浸透性層に印刷されてもよいし、接着されてもよい。
【００５６】
流体安定凝集体、本明細書では以後「ＦＳＡ」、は、吸収性ポリマー巨大構造体を作製するために使用されることができる。水分反応部材において使用するための代表的なＦＡＳ構造体は、米国特許第５，５３６，２６４号、名称「吸収性ゲル化粒子及び基材の多孔質巨大構造体を含む吸収性合成物（Absorbent Composites Comprising a Porous Macrostructure of Absorbent Gelling Particles and A Substrate）」（スー（Hsueh）ら、１９９６年７月１６日発行）；米国特許第６，２２４，９６１号、名称「改善された流体処理能力のためのヒドロゲルを形成する様々な吸収性ポリマーの混合物から作製される吸収性巨大構造体（Absorbent Macrostructure Made From Mixtures of Different Hydrogel-Forming Absorbent Polymers for Improved Fluid Handling Capability）」（スー（Hsueh）ら、２００１年５月１日発行）；米国特許第５，４２８，０７６号、名称「可撓性多孔質吸収性ポリマー巨大構造体とその作製方法（Flexible, Porous, Absorbent, Polymeric Macrostructures and Methods of Making the Same）」（ロー（Roe）、１９９５年６月２７日発行）；米国特許第５，３７２，７６６号、名称「可撓性多孔質吸収性ポリマー巨大構造体とその作製方法（Flexible, Porous, Absorbent, Polymeric Macrostructures and Methods of Making the Same）」（ロー（Roe）、１９９４年１２月１３日発行）；米国特許第５,３２４,５６１号、名称「陽イオン性アミノ−エピクロロヒドリン付加物で架橋した固着された粒子表面の多孔質吸収性巨大構造体（Porous, Absorbent, Macrostructures of Bonded Particles Surface Crosslinked with Cationic Amino-Epichlorohydrin Adducts）」（レザイ（Rezai）ら、１９９４年６月２８日発行）；米国特許第５,１２４,１８８号、名称「多孔質吸収性ポリマー巨大構造体とその作製方法（Porous, Absorbent, Polymeric Macrostructures and Methods of Making the Same）」（ロー（Roe）ら、１９９２年６月２３日発行）；及び米国特許第５,１０２,５９７号、名称「多孔質吸収性ポリマー巨大構造体とその作製方法（Porous, Absorbent, Polymeric Macrostructures and Methods of Making the Same）」（ロー（Roe）ら、１９９２年４月７日発行）に記載されている。これら特許の各々を本明細書に参考として組み込む。
【００５７】
本発明の詳細説明の中で引用した全ての文献を、関連部分において、参考として本明細書に組み込む。いかなる文献の引用も、それが本発明に関する先行技術であることを承認するものとして解釈されるべきでない。
【００５８】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【図面の簡単な説明】
【００５９】
【図１】本発明が組み込まれている、平坦にした状態の使い捨ておむつの図。
【図２】本発明が組み込まれている、使い捨ておむつの断面図。
【図２Ａ】本発明の別の実施形態が組み込まれている、使い捨ておむつの断面図。
【図２Ｂ】使い捨ておむつの断面図であり、本発明の別の実施形態がその中に組み込まれている。
【図２Ｃ】本発明の別の実施形態が組み込まれている、使い捨ておむつの断面図。
【図３】トレーニングパンツ状の構造体に組み込まれた本発明の図。
【図４】その中で実施された本発明を示す、平坦にした状態のパンツ状の構造体の図。
【図５】本発明がその中に組み込まれている、月経（cataminial）構造体の断面図。
【図１】
2008500149.tif 000003
【図２】
2008500149.tif 000004
【図２Ａ】
2008500149.tif 000005
【図２Ｂ】
2008500149.tif 000006
【図２Ｃ】
2008500149.tif 000007
【図３】
2008500149.tif 000008
【図４】
2008500149.tif 000009
【図５】
2008500149.tif 000010
【国際調査報告】
2008500149.tif 000011
2008500149.tif 000012
2008500149.tif 000013